(57)【特許請求の範囲】
【請求項１】
投入空間を有するポスト本体と、該ポスト本体の投入空間を形成する開口の一方側の外周に取り付けた口金と、前記ポスト本体の一方側に開閉可能に設けられた投函扉とを有するポストであって、
前記投函扉は、その上部が前記口金の上面を覆う位置に設けられ、
前記口金は、前記投函扉の上面を越えた位置から前記ポスト本体から離間する方向に向かって延びた庇部を備えることを特徴とするポスト。
【請求項２】
請求項１記載のポストにおいて、
前記口金は、前記投函扉の上面を越える高さの縦壁を備えることを特徴とするポスト。
【請求項３】
請求項２記載のポストにおいて、
前記庇部は、前記縦壁の上端部に設けられていることを特徴とするポスト。
【請求項４】
請求項１〜３のいずれか１項に記載のポストにおいて、
前記投函扉の上面は、該投函扉の前面に向かって下方に傾斜する傾斜面を有することを特徴とするポスト。
【請求項５】
請求項４記載のポストにおいて、
前記庇部の上面は、該庇部の先端に向かって下方に傾斜する傾斜面を有することを特徴とするポスト。
【発明の詳細な説明】
【技術分野】
【０００１】
本発明は、例えば屋外の壁部に設置され、郵便物や新聞等の物品の受箱として使用されるポストに関する。
【背景技術】
【０００２】
例えば住宅や店舗等の玄関先の屋外では、地面から起立させた壁部にポストが設けられることがある。特許文献１には、郵便や新聞等の物品の投入空間を持ったポスト本体の前面の四周に口金を設け、この口金の内側に投函扉を開閉可能に設けることで投函口を構成したポストが開示されている。
【先行技術文献】
【特許文献】
【０００３】
【特許文献１】実公昭６１−４４７０４号公報
【発明の概要】
【発明が解決しようとする課題】
【０００４】
上記特許文献１の構成は、投函口の四周を枠状の口金で構成し、その内側に投函扉を取り付けている。このため、口金が外観上で大きく目立ち、その内側に投函扉が配置されるため、外観デザインの点で制約や問題がある。そこで、この口金と投函扉の形状や位置関係を適宜変更することも考えられるが、屋外に設置されるポストでは投函口内への雨水等の浸水を防止する防水構造を担保しておく必要がある。
【０００５】
本発明は、上記従来技術の課題を考慮してなされたものであり、外観品質を高めつつ、十分な防水性能を確保することができるポストを提供することを目的とする。
【課題を解決するための手段】
【０００６】
本発明に係るポストは、投入空間を有するポスト本体と、該ポスト本体の投入空間を形成する開口の一方側の外周に取り付けた口金と、前記ポスト本体の一方側に開閉可能に設けられた投函扉とを有するポストであって、前記投函扉は、その上部が前記口金の上面を覆う位置に設けられ、前記口金は、前記投函扉の上面を越えた位置から前記ポスト本体から離間する方向に向かって延びた庇部を備えることを特徴とする。
【０００７】
このような構成によれば、口金の上面を投函扉の上面で覆うことができるため、外観デザイン上の制約が少なくなり、またその前面形状をシンプルに構成して外観品質を高めることができる。さらに投函扉の上面で口金の上面を覆うと共に、投函扉の上方に庇部を配置しているため、口金の上部に投函扉の上部を配置した構造としつつも、投函扉と口金との上面間に雨水等が浸入することを防止でき、高い防水性能を確保することができる。
【０００８】
本発明に係るポストにおいて、前記口金は、前記投函扉の上面を越える高さの縦壁を備える構成としてもよい。そうすると、縦壁と当該ポストの取付対象である、例えば壁部の前面との間の隙間に止水材を設けるだけで、ポスト本体と口金との間の金属接触面間に対する止水構造を構築することができる。しかも、この止水材の配設部分は、投函扉の開閉とは無関係な位置にあるため、例えば不定形のシーリング材で形成される止水材の施工作業が容易となり、また施工品質も向上させることができる。
【０００９】
本発明に係るポストにおいて、前記庇部は、前記縦壁の上端部に設けられた構成であってもよい。これにより、縦壁及びその上端部に設けられた庇部と前記壁部の前面との間の隙間に止水材を一層容易に施工することができ、しかも止水材から庇部までを面一に形成し易く、外観品質が向上する。
【００１０】
本発明に係るポストにおいて、前記投函扉の上面は、該投函扉の前面に向かって下方に傾斜する傾斜面を有する構成であってもよい。そうすると、当該ポストの上に降った雨水等はこの傾斜面を流れて前方に排出されるため、投函扉と口金との間から投入空間内への浸水を防止できる。
【００１１】
本発明に係るポストにおいて、前記庇部の上面は、該庇部の先端に向かって下方に傾斜する傾斜面を有する構成であってもよい。そうすると、雨水等はこの庇部の傾斜面から投函扉の傾斜面を流れ落ちるため、投入空間内への浸水をより確実に防止できる。
【発明の効果】
【００１２】
本発明によれば、口金の上面を投函扉の上面で覆うことができるため、その前面形状をシンプルに構成して外観品質を高めることができる。さらに投函扉の上面で口金の上面を覆うと共に、投函扉の上方に庇部を配置しているため、投函扉と口金との上面間に雨水等が浸入することを防止でき、高い防水性能を確保することができる。
【図面の簡単な説明】
【００１３】
【図１】図１は、本発明の一実施形態に係るポストを正面側から見た一部分解斜視図である。
【図２】図２は、図１に示すポストの正面図である。
【図３】図３は、図１に示すポストを背面側から見た斜視図である。
【図４】図４は、図２中のＩＶ−ＩＶ線に沿う断面図である。
【図５】図５は、図４に示すポストの要部拡大図である。
【図６】図６は、図２中のＶＩ−ＶＩ線に沿う一部省略断面図である。
【発明を実施するための形態】
【００１４】
以下、本発明に係るポストについて好適な実施の形態を挙げ、添付の図面を参照しながら詳細に説明する。
【００１５】
図１は、本発明の一実施形態に係るポスト１０を正面側から見た一部分解斜視図であり、図２は、図１に示すポスト１０の正面図である。また、図３は、図１に示すポスト１０を背面側から見た斜視図である。ポスト１０は、例えば住宅や店舗等の玄関先の屋外に設置された塀や柵等の壁部１２に設置されることで、郵便や新聞等の物品の受箱となるものである。ポスト１０は、壁部１２ではなく専用のスタンドによって設置されてもよく、建物の外壁に直接的に設けられてもよい。
【００１６】
図１〜図３に示すように、ポスト１０は、物品の投入空間１４ａを有するポスト本体１４と、ポスト本体１４の投入空間１４ａを形成する開口の正面（前面）に対し、口金１６を介して開閉可能に設けられた投函扉１８と、ポスト本体１４の投入空間１４ａを形成する開口の背面（後面）に対して開閉可能に設けられた取出蓋２０とを備える。
【００１７】
ポスト本体１４は、例えばステンレスやスチール等の金属板によって箱状に構成されている。ポスト本体１４は、矩形筒形状の取付部２２と、取付部２２の背面側に設けられ、取付部２２よりも高さ方向に厚みを持った矩形筒形状の本体部２４とを有した段付き形状である。取付部２２は、壁部１２に開口形成された取付孔１２ａに挿入固定される部分である。本体部２４は、上面が取付部２２の上面と一体的に面一に設けられ、下面が取付部２２の下面よりも下方に配置されている。
【００１８】
取付部２２と本体部２４の内部空間は互いに連通しており、物品の投入空間１４ａを構成する。本体部２４の背面には取出蓋２０によって開閉可能な開口が設けられており、投入空間１４ａに投入された物品を該取出蓋２０を開くことで取り出しできる。従って、投函扉１８を開いて前面の投函口２６から投入空間１４ａへと投入された物品は、取付部２２内を通過して本体部２４内に保管されるため、後面の取出蓋２０を開いて取り出すことができる。取出蓋２０には、外部から投入空間１４ａの状態を視認可能な横向き帯状の覗き窓２０ａと、取出蓋２０の開閉をロックする錠装置２０ｂとが設けられている。
【００１９】
図４は、図２中のＩＶ−ＩＶ線に沿う断面図であり、図５は、図４に示すポスト１０の要部拡大図である。また、図６は、図２中のＶＩ−ＶＩ線に沿う一部省略断面図である。
【００２０】
図１及び図４〜図６に示すように、口金１６は、例えばアルミニウム等の金属材料のダイカスト成形によって矩形枠形状に構成されており、上枠１６ａ、下枠１６ｂ及び左右の縦枠１６ｃ，１６ｃを有する。口金１６は、ポスト本体１４の取付部２２の前面開口の四周端面を覆うように取り付けられ、各枠１６ａ〜１６ｃで囲まれた開口が投函口２６となる。
【００２１】
上枠１６ａは、取付部２２の上壁先端に上方に向かって屈曲形成された断面Ｌ字状の取付片２２ａに対し、左右方向に複数本（本実施形態では３本）の取付ねじ２８を用いて取付固定される。下枠１６ｂは、取付部２２の下壁内面に対し、左右方向に複数本（本実施形態では３本）の取付ねじ２９を用いて取付固定される。
【００２２】
図５に示すように、上枠１６ａの上面３１のポスト本体１４寄りの縁部には、上方に向かって鉛直に起立した縦壁３０と、縦壁３０の上端部から前方に向かって突出した庇部３２とが形成されている。庇部３２の上面には、ポスト本体１４から離間する方向、つまり該庇部３２の先端（前方）に向かって漸次下方に傾斜した傾斜面３２ａが形成されている。縦壁３０の前面と庇部３２の下面との間には、上枠１６ａの長手方向に亘って延在する凹溝３３が形成されている。
【００２３】
上記の通り上枠１６ａは、縦壁３０の下方部分が取付ねじ２８を用いて取付部２２の取付片２２ａに取付固定されるが、取付片２２ａは当該ポスト１０の取付対象である壁部１２の前面１２ｂからある程度（例えば５ｍｍ程度）の隙間を介して配置される。このため、縦壁３０も壁部１２の前面１２ｂとの間に隙間を介して配置される（図５参照）。そこで、ポスト１０の壁部１２への取付時、このような上枠１６ａの縦壁３０と取付片２２ａとの間の隙間には、シリコーン等の不定形の湿式シーリング材で形成された止水材３４が配設される。この止水材３４により、上枠１６ａと取付片２２ａとの間の金属接触面間への雨水等の浸水が防止される。
【００２４】
図１及び図５に示すように、上枠１６ａと左右の縦枠１６ｃ，１６ｃとの間の角部には、矩形ブロック形状の支持板３６がそれぞれ設けられている。支持板３６には、断面略Ｌ字状のストッパ部材３８がねじ止め固定される。ストッパ部材３８は、投函扉１８の開き限度を規制するものである。
【００２５】
図６に示すように、左右の縦枠１６ｃは、取付部２２の側壁先端に左右外方に向かって屈曲形成された断面Ｌ字状の取付片２２ｂに対して当接支持される。この際、取付片２２ｂについても、取付片２２ａの場合と同様に壁部１２の前面１２ｂからある程度の隙間を介して配置されるため、各縦枠１６ｃも壁部１２の前面１２ｂとの間に隙間を介して配置される。そこで、ポスト１０の壁部１２への取付時、このような縦枠１６ｃと取付片２２ｂとの間の隙間にも、シリコーン等の不定形シーリング材で形成された止水材３４が配設される。この止水材３４により、上枠１６ａと取付片２２ａとの間に加えて、縦枠１６ｃと取付片２２ｂとの間の金属接触面間への雨水等の浸水も防止される。上枠１６ａ及び縦枠１６ｃと前面１２ｂとの間の止水材３４は一体的に連続しており、下枠１６ｂと前面１２ｂとの間にも止水材３４を回り込ませてもよい。
【００２６】
図１及び図４〜図６に示すように、投函扉１８は、口金１６の内側開口である投函口２６を覆う本体プレート４０と、本体プレート４０の背面側から後方へと突出した側面視略三角形状の軸支持板４２とを有する。
【００２７】
本体プレート４０の四周縁部には、背面側に向かって突出した上板４０ａ、下板４０ｂ及び左右の縦板４０ｃ，４０ｃが設けられている。図５に示すように、上板４０ａは、口金１６の上枠１６ａの上面３１を覆うように設けられ、投函扉１８が閉じられた状態でその先端が上枠１６ａの庇部３２の下側に入り込んで凹溝３３内に収容されると共に、該凹溝３３に配設された止水材４４に接触する。止水材４４は、例えばゴムや樹脂で形成された定形の乾式シーリング材であり、凹溝３３の長手方向に亘って設けられる。上板４０ａの上面には、ポスト本体１４から離間する方向（前方）に向かって漸次下方に傾斜した傾斜面４１が形成されている。下板４０ｂ及び各縦板４０ｃは、投函扉１８が閉じられた状態で口金１６の下枠１６ｂ及び各縦枠１６ｃの内側に配置される。
【００２８】
軸支持板４２は、本体プレート４０の背面左右両側の上部であって上板４０ａの下方となる位置に一対設けられている。各軸支持板４２には左右方向に突出する軸ピン４６が設けられており、各軸ピン４６がそれぞれ口金１６の支持板３６に回転可能に軸支される（図５参照）。これにより、投函扉１８は軸ピン４６を回転軸として口金１６に対して回転可能な状態で支持される。
【００２９】
従って、投函扉１８は、図５中に実線で示すように閉じられた状態では上板４０ａが口金１６の上枠１６ａの上面３１を覆い、且つその先端が凹溝３３内に収容される一方、一部が庇部３２によって覆われ、下板４０ｂ及び縦板４０ｃは口金１６の内側（投函口２６）に挿入された状態にある。この際、投函扉１８は軸支持板４２（軸ピン４６）と上板４０ａとの間に口金１６の上枠１６ａを挟み込むように配置されている。この状態から軸ピン４６より下方の本体プレート４０が投函される物品又は人手で後方へと押圧されると、図５中に２点鎖線で示すように、投函扉１８は軸ピン４６を回転軸として上板４０ａが上枠１６ａの前方へと回動し、下板４０ｂ及び各縦板４０ｃが投函口２６内へと回動しつつ移動する。その結果、投函口２６（投入空間１４ａ）に物品を投入することができる。
【００３０】
この場合、本実施形態に係るポスト１０は、投入空間１４ａを有するポスト本体１４と、ポスト本体１４の投入空間１４ａを形成する開口の前側の外周に取り付けた口金１６と、ポスト本体１４の前側に開閉可能に設けられた投函扉１８とを有し、投函扉１８は、その上部が口金１６の上面３１を覆う位置に設けられ、口金１６は、投函扉１８の上面である傾斜面４１を越えた位置からポスト本体１４から離間する方向に向かって延びた庇部３２を備える。
【００３１】
従って、ポスト１０では、口金１６の上面３１を投函扉１８の上面（傾斜面４１）で覆うことができるため、外観デザイン上の制約が少なくなり、口金１６及び投函扉１８の部分の前面形状を図２に示すようにシンプルに構成して外観品質を高めることができる。しかも投函扉１８の上面で口金１６の上面３１を覆うと共に、投函扉１８の上方に庇部３２を配置している。このため、口金１６の上部に投函扉１８の上部を配置した構造としつつも、投函扉１８と口金１６との上面間から投入空間１４ａ内に雨水等が浸入することを防止でき、高い防水性能を確保することができる。
【００３２】
ポスト１０において、口金１６は、投函扉１８の上面である傾斜面４１を越える高さの縦壁３０を備える。このため、この縦壁３０と当該ポスト１０の取付対象である壁部１２の前面１２ｂとの間の隙間に止水材３４を設けるだけで、ポスト本体１４と口金１６との間の金属接触面間に対する止水構造を構築することができる。この際、図５に示すように、この止水材３４の配設部分は、投函扉１８の開閉とは無関係な位置にあるため、例えば不定形のシーリング材で形成される止水材３４の施工に高い精度が不要となり、施工作業が容易となる。しかも、縦壁３０及びその上端部の庇部３２の高さ位置まで止水材３４を施工すればよいため施工量の把握が容易であり、充填不足等、施工者の熟練度合によるばらつきの発生も抑制できる。勿論、このような止水材３４の施工作業性や施工品質の向上は縦枠１６ｃ側についても同様な効果が得られる。しかも止水材３４から庇部３２までを面一に形成し易いため、外観品質が一層向上する。
【００３３】
ポスト１０では、投函扉１８の上面は、その前面に向かって下方に傾斜する傾斜面４１を有する。これにより、雨水等は傾斜面４１を流れて前方に排出されるため、投函扉１８と口金１６との間から投入空間１４ａ内への浸水をより確実に防止できる。しかもポスト１０では、庇部３２の上面は、その先端に向かって下方に傾斜する傾斜面３２ａを有するため、雨水等はこの傾斜面３２ａから傾斜面４１を流れ落ちるため、散水性能が一層向上し、投入空間１４ａ内への浸水をより一層確実に防止できる。
【００３４】
なお、本発明は、上記した実施形態に限定されるものではなく、本発明の主旨を逸脱しない範囲で自由に変更できることは勿論である。
【符号の説明】
【００３５】
１０  ポスト、１２  壁部、１２ａ  取付孔、１２ｂ  前面、１４  ポスト本体、１４ａ  投入空間、１６  口金、１６ａ  上枠、１６ｂ  下枠、１６ｃ  縦枠、１８  投函扉、２０  取出蓋、２２  取付部、２２ａ，２２ｂ  取付片、２４  本体部、２６  投函口、２８，２９  取付ねじ、３１  上面、３２  庇部、３２ａ，４１  傾斜面、３３  凹溝、３４，４４  止水材、４０  本体プレート、４０ａ  上板、４０ｂ  下板、４０ｃ  縦板、４２  軸支持板、４６  軸ピン
【図１】
0006411937.tif 000002
【図２】
0006411937.tif 000003
【図３】
0006411937.tif 000004
【図４】
0006411937.tif 000005
【図５】
0006411937.tif 000006
【図６】
0006411937.tif 000007